(57)【特許請求の範囲】
【請求項１】
支持体によって支持されている棚板を有する棚に用いられる保護板であって、
前記保護板は、前記棚板上の物品載置空間の前部に装着される透明な板からなり、
前記保護板には、取り付け具の一端部が結合され、
前記取り付け具の他端部は前記支持体への止め部になっており、
前記保護板の下部には、前記保護板から水平方向に延びた部分を有する載置部材が結合され、
前記載置部材は前記水平方向に延びた部分が前記棚板の上面に載置され、前記保護板の荷重の一部を前記棚板が受けている棚用保護板。
【請求項２】
前記支持体は、支柱である請求項１記載の棚用保護板。
【請求項３】
前記保護板の下端部は前記載置部材よりも下方に延び、前記保護板の下端部の背面は前記棚板の前面への当たり面になっている請求項１または２記載の棚用保護板。
【請求項４】
前記載置部材は、前記棚板の上面への載置部分に磁石を有している請求項１、２または３記載の棚用保護板。
【請求項５】
前記載置部材は、前記取り付け具と一体成形されている請求項１乃至４のいずれかに記載の棚用保護板。
【請求項６】
前記保護板は、前記棚板の前面への当たり面に磁石を有している請求項１乃至５のいずれかに記載の棚用保護板。
【請求項７】
前記取り付け具の一端部には、前記保護板の前面に沿う前記保護板との結合部と、前記保護板の側面への当接部が設けられている請求項１乃至６のいずれかに記載の棚用保護板。
【請求項８】
支持体によって支持されている棚板を有する棚に用いられる保護板であって、
前記保護板は、前記棚板上の物品載置空間の前部に装着される透明な板からなり、
前記保護板には、取り付け具の一端部が結合され、
前記取り付け具の他端部は前記支持体への止め部になっており、
前記保護板の下部には、前記棚板の前側の框を抱え込む框固定部材が結合され、
前記框固定部材は、前記棚板の前記框の前面に沿って下方に延びた部分、前記框の下面に沿って後方に延びた部分、前記框の垂直方向の立ち上がりに沿った立ち上がり部分、さらに、前記框の前記立ち上がりの先端縁部を囲む折り曲げ部分を有し、
前記保護板が前記框固定部材を介して棚板によって支持されている棚用保護板。
【請求項９】
支持体によって支持されている棚板を有し、前記棚の前記棚板上の物品載置空間の前部に棚用保護板が取り付けられている棚であって、
前記棚用保護板は、請求項１乃至８のいずれかに記載の棚用保護板である棚。
【発明の詳細な説明】
【技術分野】
【０００１】
本発明は、棚を展示ケースとして使用することを可能にする棚用保護板およびこの保護板を用いた棚に関するものである。
【背景技術】
【０００２】
博物館などにおいては、貴重な展示物を保護するために、防盗性に優れた展示ケースに展示物を収納し、展示ケースの透明パネルを通して展示物を観察できるようにしている。例えば図書館においても、小物や美術品などを来館者のために展示することがある。しかし、図書館における展示物は、博物館ほど厳密に管理する必要がないことから、書架すなわち図書収蔵用の棚に、小物や美術品などの展示物を展示する場合が多い。従来、棚に小物や美術品などの展示物を展示する場合、棚板の載置面に展示物を載せるだけであった。
【０００３】
上述のような、従来の棚を用いた展示物の展示には、棚板の載置面に小物や美術品を載せているだけであるから、展示物の紛失、破損あるいは汚れなどの被害を受けやすい、といった問題がある。
【０００４】
従来技術の１つとして少なくとも正面が透明な展示ケースを棚に載せ、展示ケース内に展示物を収納するようにしたものもある。しかし、この従来例によれば、書架などの棚とは別に高価な展示ケースを購入する必要があり、コスト高になる。また、展示ケースの棚への取付け、取り外しが容易でないため、展示ケースとして利用する場合と書架として利用する場合との仕様変更が容易ではないという問題がある。
【０００５】
本発明に関連のある先行技術として特許文献１記載の書籍陳列装置がある。特許文献１記載の書籍陳列装置は、棚板を多段に設けた書棚と、棚板の前縁部に着脱可能かつ移動可能に取り付けられる支持具と、書籍ホルダーとを備えている。書籍ホルダーは、下部前面に表紙を前に向けて書籍を保持するサポート部を備えるとともに、上縁部背面に、支持具に前後方向に回転可能に連結するヒンジ部を備えている。書籍ホルダーのヒンジ部が前記支持具に連結され、書籍ホルダーの下端部背面が下段の棚板の前縁部に当たる。
【０００６】
特許文献１記載の発明は、書籍の展示に適した構造になっていて、展示物が書籍に限られ、小物や美術品などの展示には適していない。
【先行技術文献】
【特許文献】
【０００７】
【特許文献１】特開２００６−２６３１２６号公報
【発明の概要】
【発明が解決しようとする課題】
【０００８】
本発明は、一般に普及している棚に、容易に展示ケースとしての機能を持たせることができる棚用保護板を提供することを目的とする。
本発明はまた、前記保護板を用いて、容易に展示ケースとしての機能を持たせることができる棚を提供することを目的とする。
【課題を解決するための手段】
【０００９】
本発明に係る棚用保護板は、
支持体によって支持されている棚板を有する棚に用いられる保護板であって、
前記保護板は、前記棚板上の物品載置空間の前部に装着される透明な板からなり、
前記保護板には、取り付け具の一端部が結合され、
前記取り付け具の他端部は前記支持体への止め部になっており、
前記保護板の下部には、前記保護板から水平方向に延びた部分を有する載置部材が結合され、
前記載置部材は前記水平方向に延びた部分が前記棚板の上面に載置され、前記保護板の荷重の一部を前記棚板が受けていることを最も主要な特徴としている。
【００１０】
本発明に係る棚は、
支柱と、前記支柱によって支持されている棚板を有し、前記棚の前記棚板上の物品載置空間の前部に、前記保護板が取り付けられていることを特徴としている。
【発明の効果】
【００１１】
本発明によれば、簡易な構成を付加するだけで、棚を簡易な展示ケースとして利用することができ、棚に載せる展示ケースは不要である。
【図面の簡単な説明】
【００１２】
【図１】本発明に係る棚用保護板および棚の一実施例を示す斜視図である。
【図２】図１中の線Ａ−Ａ´に沿う断面の拡大図である。
【図３】本発明に係る棚用保護板および棚の別の実施例を示す斜視図である。
【図４】本発明に係る棚用保護板および棚のさらに別の実施例を示す斜視図である。
【図５】本発明に係る棚用保護板および棚のさらに別の実施例を示す斜視図である。
【図６】本発明に係る棚用保護板および棚のさらに別の実施例を示す斜視図である。
【図７】図６中の線Ｂ−Ｂ´に沿う断面の拡大図である。
【図８】本発明に係る棚用保護板および棚のさらに別の実施例を示す正面図である。
【図９】図８に示す実施例の側面断面図である。
【発明を実施するための形態】
【００１３】
以下、本発明に係る棚用保護板および棚の実施例について図面を参照しながら説明する。
【実施例１】
【００１４】
図１、図２は、単柱式の棚に本発明を適用した実施例を示す。単柱式の棚は、物品の出し入れ方向に対し直交する方向に１列に並んでいる支柱に、棚板が片持ち状に支持されている形式の棚である。支柱の前後両面に棚板が支持されているのが一般的であるが、支柱の片面にのみ棚板が支持されていることもあり得る。
【００１５】
図１、図２において、支柱１が複数（図示の例では２つのみを示す）一直線上に配置され、垂直に向けて互いに平行に立てられている。各支柱１の前後の面には縦方向に多数の棚板取り付け孔１１が一定間隔で開けられている。各支柱１には、所望の高さ位置の棚板取り付け孔１１を選択して棚受３が掛け止められ、隣り合う支柱１に掛け止められている一対の棚受３によって棚板２が支持されている。
【００１６】
支柱１による棚板２の支持構造は、従来知られている以下のような構造になっている。棚受３の後端上部には下向きの鉤状の掛け止め部３１が後方に突出して形成され、掛け止め部３１が所望の高さ位置にある棚板取り付け孔１１に挿入されかつ棚板取り付け孔１１１の下端縁部に掛け止められている。棚受３の後端下部には突起３３が後方に突出して形成され、突起３３が棚板取り付け孔１１の一つに挿入されて棚受３の振れ止めがなされている。一対の棚受３の相対向する面には棚板２を載せるための折り曲げ部が形成され、これらの折り曲げ部に棚板２の両端部が載せられて、一つの棚板２が水平方向の姿勢で支持されている。一対の棚受３の相対向する面にはまた、棚板２の側面と係合して棚板２の前後方向へのずれを防止するための係合部が形成されている。
【００１７】
以上説明した単柱式の棚を展示ケースとして利用するために、以下に説明する棚用保護板が取り付けられている。棚用保護板は、棚板２上の物品載置空間の前部に装着される透明な板からなる保護板４と、保護板４に結合されている取り付け具５を主体としている。保護板４は、例えばアクリル樹脂のような透明な素材からなり、横長の長方形状の部材である。
【００１８】
取り付け具５は、板状の部材であって棚受３の面と同様に垂直面をなして支柱１に掛け止められて設置されている。取り付け具５は、２個を一対として保護板４の左右方向両側に結合され、一対の取り付け具５はそれぞれ隣り合う支柱１に掛け止められている。棚の物品出し入れ側を前側とし、取り付け具５の前端部を一端部とすると、取り付け具５の一端部は横方向に直角に折り曲げられることにより、棚の前面と平行な結合部５１となっている。
【００１９】
各取り付け具５の結合部５１は締結部材７５によって保護板４の上端寄りの背面側に結合されている。締結部材７５は、例えば、保護板４と上記結合部５１の孔を貫通するボルトと、このボルトにねじ込まれるナットなどで構成することができる。
【００２０】
取り付け具５の他端部すなわち後端部には、棚受３の前記掛け止め部３１と同様の掛け止め部５２が下向きの鉤状に形成されている。掛け止め部５２が支柱１の棚板取り付け孔１１の一つに掛け止められることにより、取り付け具５が支柱１に取り付けられている。棚板２と保護板４は左右方向の長さがほぼ同じである。
【００２１】
取り付け具５は、結合部５１から切り起こされた形で、取り付け具５の本体部分から前方に向かって突出した当接部５３を有している。当接部５３は、保護板４の側面に沿って突出し、保護板４と取り付け具５の相対的な位置ずれおよび相対回転を防止している。
【００２２】
保護板４と取り付け具５の相対的な回転を防止するために、保護板４の上面に当たる当接部を設けてもよい。すなわち、取り付け具５の前端部を保護板４の背面に沿って上方に突出させるとともに、この突出部の先端部を保護板４の上面に沿わせて前側に向けて直角に折り曲げた形にする。保護板４の上面に沿わせた上記突出部と、前記当接部５３の両方を設けると、保護板４と取り付け具５の位置ずれおよび相対回転を、より効果的に防止することができる。
【００２３】
保護板４の下部には、保護板４の左右両端部に載置部材６が締結部材７６によって結合されている。載置部材６は、細長い板状の素材をＬ字形に折り曲げた形をしており、垂直方向に立ち上がった部分と水平方向に伸びた部分を有してなる。載置部材６は、その垂直方向の立ち上がり部分が締結部材７６によって保護板４に結合されている。載置部材６の水平方向に伸びた部分は、棚板２の上面と平行にかつ前後方向に伸びて棚板２の上面への載置部分になっている。
【００２４】
載置部材６の上記棚板２の上面への載置部分が棚板２の上面に載置され、保護板４の荷重の一部を棚板２が受けている。図１、図２に示す実施例では、載置部材６の上記載置部分の下面に板状の磁石７が固着されていて、鉄板などで作られている棚板２との間に生じる磁気吸引力で、保護板４の妄動が防止されている。
【００２５】
載置部材６は、保護板４の下端よりも上に位置させて保護板４の背面側に結合されている。したがって、保護板４の下端部の背面は載置部材６よりも下方に伸び出て棚板２の前面への当たり面４１となり、保護板４の前後方向の位置を規制している。
【００２６】
保護板４は、必要に応じて棚に着脱することができる。保護板４を棚に装着する場合は、保護板４に結合されている一対の取り付け具５の掛け止め部５２を、支柱１の棚板取り付け孔１１の一つに挿入し、孔１１の下縁部に掛け止める。次に、保護板４に結合されている載置部材６の水平方向の載置部分を棚板２の上面に載置する。載置部材６の上記載置部分の下面に固着されている磁石の磁気吸引力によって、棚板２に対する保護板４の妄動が防止される。保護板４の下部背面側の当たり面４１が棚板２の前面に当たり、保護板４の前後方向の位置が決められている。
【００２７】
以上のようにして保護板４が棚に装着された状態では、保護板４が、棚板２上の物品載置空間の前部に位置し、棚板２上に載置されている展示物を、落下、盗難などから防護している。保護板４は透明な板であるから、保護板４を透して展示物を観察することができる。
【００２８】
棚板２上の物品載置空間に展示物を展示し、展示物を入れ替えする場合などには、保護板４を棚から取り外す。保護板４を抱え上げ、一対の取り付け具５の掛け止め部５２を、支柱１の棚板取り付け孔１１から引き抜けば、保護板４を棚から容易に取り外すことができる。
【００２９】
以上説明した実施例によれば、既存の棚を展示ケースとして利用することができ、棚のほかに展示ケースを購入する必要がない。図書館などにおいて、棚を展示ケースとして利用する場合に便利である。棚を展示ケースとして利用するために必要な保護板の構成は簡単であり、低コストで棚を展示ケースに転用することができる。
【実施例２】
【００３０】
図３は、第２の実施例を示す。この実施例が第１の実施例と異なる部分は、取り付け具の構造である。第１の実施例と共通の構成部分には共通の符号を付して説明は簡略化する。図３において、符号５５は取り付け具を示しており、この取り付け具５５は、前端部の保護板４への結合部と棚板２への載置部分も含めて一体成形されていることを特徴としている。
【００３１】
取り付け具５５は、後端部に、前記実施例における取り付け具５と同様に、支柱１の棚板取り付け孔１１への掛け止め部を有していて、支柱１に掛け止めることができる。取り付け具５５の前端部は平面方向から見て直角に折り曲げられて保護板４の面と平行な面をなすとともに、この保護板４の面と平行な面が保護板４の面に沿って下方に伸びている。取り付け具５５の、保護板４の面と平行な面の上端部は保護板４との上側結合部５５１、保護板４の面と平行な面の下端部は保護板４との下側結合部５５３となっている。
【００３２】
取り付け具５５は、下側結合部５５３に続いて棚板２の上面と平行になるように後方に向かって直角に折り曲げられて、前記実施例における載置部材６と同じ機能をもつ載置部５５６が一体に形成されている。載置部５５６には、棚板２との間で磁気吸引力を生じる磁石を固着してもよい。
【００３３】
取り付け具５５の上側結合部５５１は締結部材７５によって保護板４の背面側に結合されている。取り付け具５５の下側結合部５５３は締結部材７６によって保護板４の背面側に結合されている。取り付け具５５の下端は保護板４の下端よりも上側にあり、取り付け具５５の下部背面は、棚板２の前面への当たり面４１となっている。
【００３４】
以上説明した第２の実施例は、前記第１の実施例と同様に使用することにより、棚を展示ケースとして利用することができる。第２の実施例によれば、保護板４の取り付け具５５を、保護板４への結合部５５１および棚板２への載置部５５６とともに一体成形されているため、保護板４との結合強度を高めるとともに、棚に対する相対的なずれや回転を防止することができる。
【実施例３】
【００３５】
図４は、第３の実施例を示す。この実施例の特徴は、保護板４の下端部と棚板２との当接構造にある。すなわち、保護板４の下端部の背面側は棚板２の前面との当たり面４１となっており、当たり面４１の左右両端部に平板状の磁石７１が固着され、磁石７１と棚板２との磁気吸引力で保護板４が棚板２の前面に引き付けられている。保護板４を棚に取り付けるための構造は、第１の実施例における取り付け具５を用いた構造と同じであるから、共通の符号を付して説明は省略する。
【００３６】
第３の実施例は、保護板４の荷重を、取り付け具５と磁石７１の磁気吸引力で支持する構成になっている。かかる構成でも、所期の目的を達成することができる。
【実施例４】
【００３７】
図５は、第４の実施例を示す。この実施例の特徴は、第３の実施例における磁石７１も省略した構成にある。保護板４の荷重は取り付け具５によってのみ支持される。かかる構成でも、所期の目的を達成することができる。
【実施例５】
【００３８】
図６、図７は、第５の実施例を示す。この実施例の特徴は、保護板４の下部に、棚板２の前側の框２１を抱え込む框固定部材８が結合されていることである。棚板２は、強度と剛性を高めるために、前後左右の縁部が折り曲げられている。特に、前側の框２１と後ろ側の框２２は、物品載置面をなす水平面から、下向きに直角に折り曲げられた垂直部、水平部、さらに上向きに直角に折り曲げられた垂直部を有していて、強度と剛性が高められている。
【００３９】
框固定部材８は、保護板４の左右方向両端部に締結部材７６によって締結されている。框固定部材８は、保護板４の前面に沿って下方に向かって伸び出た後、直角に折り曲げられることによって棚板２の前側の框２１の下面に沿って後方に伸び、さらに框２１の垂直方向の立ち上がりに沿って立ち上がっている。この框固定部材８の垂直方向の立ち上がりの先端部は、框２１の立ち上がりの先端縁部を囲むように逆Ｕ字状に折り曲げられている。この逆Ｕ字状の折り曲げ部分は、框２１の立ち上がりの先端縁に対する引っ掛け部８２となっている。
【００４０】
図６、図７に示す第５の実施例は、図１、図４などに示す実施例と同様の保護部材４および取り付け具５を有している。すでに説明した実施例の構成と同じ構成部分には共通の符号を付して説明を省略する。
【００４１】
図６、図７に示す第５の実施例によれば、保護板４に結合されている框固定部材８が棚板２の前側の框２１を抱え込むことによって、框固定部材８が棚板２の荷重を支持するとともに、棚板２との位置ずれや回転を防止する。第５の実施例も、前述の各実施例と同様の効果を奏する。
【００４２】
図６、図７に示す第５の実施例のように、保護板４の下部に、棚板２の前側の框２１を抱え込む框固定部材８が結合されているものにおいては、保護板４が框固定部材８を介して棚板２によって支持される。したがって、取り付け具５が無くても、保護板４を棚板２上の物品載置空間の前部に装着することができる。
【００４３】
第５の実施例のように保護板４に框固定部材８を設けた例において、保護板４に第１の実施例で説明した載置部材６と同等の載置部材を付加してもよい。さらに、上記載置部材には棚板２との間で磁気吸引力を生じる板状の磁石を固着するとなおよい。かかる構成にしておけば、框固定部材８と上記載置部材または磁石との間で棚板２を挟み込むため、仮に取り付け具５が無いとしても、保護板４を棚板２によって安定に保持することができる。
【００４４】
第５の実施例のように保護板４に框固定部材８を設けた例において、保護板４の背面と棚板２の前面との間に磁気吸引力を生じさせてもよい。具体的には、保護板４の下端部の背面であって棚板２の前面と対向する位置に板状の磁石を固着する。框固定部材８による保持力と上記磁気吸引力とが合わさって保護板４が棚板２に保持されるため、仮に取り付け具５が無いとしても、保護板４を棚板２によって安定に保持することができる。
【実施例６】
【００４５】
これまで説明してきた各実施例は、単柱式の棚に本発明を適用した例であったが、本発明は複柱式の棚にも適用することができる。複柱式の棚とは、棚板が片持ち的に支持されるのではなく、前後の支柱によって両持ち的に支持される形式の棚をいう。図８、図９に示す第６の実施例は、複柱式の棚に本発明を適用した例である。
【００４６】
図８、図９において、棚を構成する支柱１０は、棚の前後方向に３本一定間隔で並んでおり、棚の左右方向にも複数（図示の例では３本）一定間隔で並んでいる。各支柱１０の左右の面には、多数の棚板取り付け孔１１１が上下方向に一定間隔で形成されている。支柱１０の棚板取り付け孔１１１を利用して棚板２０が支持され、保護板４の取り付け具５０が支柱１０に掛け止められている。
【００４７】
棚板２０は、前後に並ぶ２本の支柱１０にまたがって掛け止められている棚受３０を介して、左右に並ぶ２本の支柱１０の間に支持されている。棚受３０は、垂直方向の板を主体とし、下縁部が直角に折り曲げられて棚板２０の載置部となっている。棚受３０の前後の縁部には、支柱１０の棚板取り付け孔１１１への掛け止め部３０１が上下方向に適宜数設けられている。図９に示すように、前後方向の３本の支柱のうち中央の支柱１０と図９において左側の支柱１０により、棚受３０を介して棚板２０が支持されている。
【００４８】
また、中央の支柱１０と図９において右側の支柱１０により、棚受３０を介して棚板２０が支持されている。したがって、図８、図９に示す棚は、物品の出し入れ用の間口が前後にあり、物品の収容空間が前後に分かれている。物品の収容空間を前後に区分する位置に、背板９が立ち上がっている。
【００４９】
保護板４の取り付け具５０も、垂直方向の板を主体とし、前後の縁部に、支柱１０の棚板取り付け孔１１１への掛け止め部５０１が上下方向２か所に設けられている。前後方向の３本の支柱のうち中央の支柱１０ともう一つの支柱１０の棚板取り付け孔１１１に掛け止め部５０１が掛け止められることにより、取り付け具５０が２本の支柱間に支持されている。
【００５０】
取り付け具５０は、前端縁から前方に突出しかつ平面から見て直角に折り曲げられて保護板４との結合部５０３が形成されている。棚の左右方向において隣り合う２本の支柱１０とこれらの支柱１０に対応する前後の支柱１０によって、左右で対をなす取り付け具５０が支持されている。そして、対をなす取り付け具５０は、それらの結合部５０３が、保護板４の左右方向両側の上端部背面に、締結部材７５によって結合されている。
【００５１】
保護板４の左右方向両側の下端近くには、図１、図２について説明した載置部材６と同様の構造をもつ載置部材６が結合されている。載置部材６は棚板２０の上面に載置され、保護板４の荷重を棚板２０が支持する。保護板４の下端縁部は載置部材６の下端より下方に突出し、上記下端縁部の背面は棚板２０の前面との当たり面４１となっている。
【００５２】
図８、図９に示す複柱式の棚においても、保護板４を棚に容易に着脱することができる。したがって、一般的な棚を必要に応じて容易に展示ケースに転用することができ、保護板４を取り外せば、一般的な棚として利用することができる。
【００５３】
複柱式の棚の場合も、図３乃至図７に示したような変形例を適用することができる。
【符号の説明】
【００５４】
１    支柱
２    棚板
３    棚受け
４    保護板
５    取り付け具
６    載置部材
７    磁石
８    框固定部材
９    背板
１０    支柱
１１    棚板取り付け孔
４１    当たり面
５１    結合部
５２    掛け止め部
５３    当接部
５５    取り付け具
７１    磁石
【図１】
0006682729.tif 000002
【図２】
0006682729.tif 000003
【図３】
0006682729.tif 000004
【図４】
0006682729.tif 000005
【図５】
0006682729.tif 000006
【図６】
0006682729.tif 000007
【図７】
0006682729.tif 000008
【図８】
0006682729.tif 000009
【図９】
0006682729.tif 000010